(57)【特許請求の範囲】
【請求項１】
画面の垂直位置を所定間隔でシフトさせながら水平走査を行う赤外線撮像器と、該赤外線撮像器から出力される画像データを格納する記憶装置と、前記記憶装置の出力を入力とし前記赤外線撮像器の走査からＴＶ走査に走査変換する走査変換器と、画像データに付加する時刻信号を出力する時計装置と、走査変換された画像データを転送するためのインターフェース回路と、前記記憶装置、走査変換器、インターフェース回路の動作を制御するマイクロコンピュータを具備する赤外線熱画像装置であって、下記（イ）〜（ホ）の各構成を具備することを特徴とする赤外線熱画像装置。
（イ）  撮像開始に際し設定された撮像条件データを一時保持するデータレジスタ
（ロ）  赤外線撮像器の撮像開始からのフレーム数を計数するフレームカウンタ
（ハ）  前記時計装置から時刻信号を受け、赤外線撮像器の１フレーム毎の撮像時刻を出力する時間カウンタ
（ニ）  前記データレジスタからの撮像条件データ、前記フレームカウンタからのフレーム計数値および前記時間カウンタからの撮像時刻の各データを受けて、前記赤外線撮像器からの熱画像信号に対し、１フレーム毎に、１フレームの上方ライン又は下方ラインに付加し、前記記憶装置へ出力するマルチプレクサ
（ホ）  前記赤外線撮像器からの同期信号を受け、前記データレジスタ、前記フレームカウンタおよび前記時間カウンタへ、撮像条件データ、フレーム計数値および撮像時刻をマルチプレクサへ出力するフレーム毎のタイミングを指示するタイミング信号を出力する同期信号処理器
【発明の詳細な説明】
【０００１】
【発明の属する技術分野】
本発明は、赤外線熱画像装置における撮像に付随する諸データの記録技術の分野に属する。
【０００２】
【従来の技術】
図３に、従来の赤外線熱画像装置の構成ブロック図を示す。
赤外線撮像器６は、その内部に有するタイミング回路のタイミング信号によって、撮像画像に対する水平走査を画面の上から下の方へ行って行き１枚分（１フレーム）の画像信号を出力するようになっており、撮像速度は１秒間に数フレームから１０００フレームを越えるものまである。
【０００３】
こうして出力された熱画像信号は、切換器１４のライブ端子と記憶装置７へ送られる。
記憶装置７は数フレームから数千フレームの画像信号を格納できるものがある。切換器１４は、現に撮像中の画像信号と記憶装置７に格納されている過去の画像信号を選択して出力する手段である。赤外線撮像器６からはもう１つ、走査に同期した同期信号が出力され同期信号処理器８を経てマイクロコンピュータ１０へ入力されている。記憶装置７への画像信号の格納および読み出しはマイクロコンピュータ１０からの制御によって行われている。
【０００４】
切換器１４の出力は走査変換器１１へ入力され、ここで赤外線撮像における走査からテレビ走査に変換されて、転送のためのインターフェース回路１２とテレビモニター１３へ送られる。
走査変換器１１およびインターフェース回路１２の動作もマイクロコンピュータ１０からの制御信号によって行われる。
ここで、撮像の際の諸条件例えば使用レンズ、追加光学フィルタ、撮像距離等の撮像条件はマイクロコンピュータ１０へ入力され、撮像時刻は時計９からの時刻信号を受けて記録している。フレーム番号（撮像を始めてから何フレーム目の画像であるかを示す番号）は同期信号処理器８からの信号をマイクロコンピュータ１０中で計数している。
【０００５】
このような、撮像条件、フレーム番号、撮像時刻等の諸データは、マイクロコンピュータ１０で管理し、各フレームの画像信号との対応関係が不明にならないようにしてマイクロコンピュータ１０内のメモリに格納され、現時の画像信号をインターフェース回路１２を通して転送する場合も、記憶装置７に格納されている過去の画像信号を読み出して転送する場合にも対応する撮像条件、フレーム番号、撮像時刻をマイクロコンピュータ１０で読み出して一緒に転送するようになっている。
【０００６】
【発明が解決しようとする課題】
このように従来技術では、撮像条件、フレーム番号、撮像時刻といった諸データの管理記憶を画像信号とは別にマイクロコンピュータ１０で行わせているため、マイクロコンピュータ１０が他の処理を行う時間が少なくなり、また、諸データの処理と他の処理が分断されるような処理のソフトウェアの開発には時間がかかるという問題があり、更に、前回記録した一部に新たな画像を記録することを複数回行った場合などは諸データの管理が一層複雑になり、そのようなソフトウェアの開発は更に厄介になるという問題がある。
【０００７】
本発明の目的は、上記従来技術の問題点に鑑みて、諸データを最初から各フレーム毎の画像信号の始まり部分あるいは終了部分に付加してしまうことにより、マイクロコンピュータの処理負担を大幅に軽減しその結果ソフトウェアの開発も容易になるという赤外線熱画像装置を提供することにある。
【０００８】
【課題を解決するための手段】
本発明は、上記の目的を達成するために以下のような手段構成を有する。
即ち、画面の垂直位置を所定間隔でシフトさせながら水平走査を行う赤外線撮像器と、該赤外線撮像器から出力される画像データを格納する記憶装置と、前記記憶装置の出力を入力とし前記赤外線撮像器の走査からＴＶ走査に走査変換する走査変換器と、画像データに付加する時刻信号を出力する時計装置と、走査変換された画像データを転送するためのインターフェース回路と、前記記憶装置、走査変換器、インターフェース回路の動作を制御するマイクロコンピュータを具備する赤外線熱画像装置であって、下記（イ）〜（ホ）の各構成を具備することを特徴とする赤外線熱画像装置である。
（イ）  撮像開始に際し設定された撮像条件データを一時保持するデータレジスタ
（ロ）  赤外線撮像器の撮像開始からのフレーム数を計数するフレームカウンタ
（ハ）  前記時計装置から時刻信号を受け、赤外線撮像器の１フレーム毎の撮像時刻を出力する時間カウンタ
（ニ）  前記データレジスタからの撮像条件データ、前記フレームカウンタからのフレーム計数値および前記時間カウンタからの撮像時刻の各データを受けて、前記赤外線撮像器からの熱画像信号に対し、１フレーム毎に、１フレームの上方ライン又は下方ラインに付加し、前記記憶装置へ出力するマルチプレクサ
（ホ）  前記赤外線撮像器からの同期信号を受け、前記データレジスタ、前記フレームカウンタおよび前記時間カウンタへ、撮像条件データ、フレーム計数値および撮像時刻をマルチプレクサへ出力するフレーム毎のタイミングを指示するタイミング信号を出力する同期信号処理器
【０００９】
【発明の実施の形態】
本発明の実施の形態は、画像信号の１フレーム毎に、撮像条件、フレーム番号、撮像時刻等の諸データを１フレームの画像信号の初めの部分か終わりの部分に付加してしまい、マイクロコンピュータによる別管理を行わせないようにし、マイクロコンピュータの処理負担を軽減するというものである。
そのために入力された撮像条件を一時保持するデータレジスタ、フレーム数を計数するフレームカウンタ、撮像時刻信号を出力する時間カウンタを設け、これらから出力される撮像条件、フレーム番号、撮像時刻を、赤外線撮像器からの画像信号に付加するマルチプレクサを設ける。
【００１０】
こうすることにより、赤外線撮像器からの生（ライブ）の画像信号であろうと記憶装置から読み出された画像信号であろうと、画像信号と諸データとの対応管理が不要となる。
【００１１】
【実施例】
以下、本発明装置の実施例を図面を参照して説明する。
図１は本発明赤外線熱画像装置の実施例の構成を示すブロック図である。
従来装置の構成ブロック図である図３の構成に対して、新たに設けられた構成はマルチプレクサ５、データレジスタ１、フレームカウンタ２、時間カウンタ４である。データレジスタ１へは操作者の手により使用レンズ、使用フィルタ、撮像距離等の撮像条件が入力され保持される。そして、同期信号処理器８からのタイミング信号により、１フレームの水平走査中の予め定められた走査期間、例えば図２に示すような最初の水平走査期間ＤS とか最終水平走査期間ＤE に対応するタイミングで撮像条件信号をマルチプレクサ５へ出力する。
【００１２】
フレームカウンタ２は、同期信号処理器８からのフレーム毎に出力される信号をカウントすることにより、現フレームが撮像開始から何番目のフレームであるか明らかにし、そのフレーム番号を、撮像条件の場合と同様に１フレーム中の予め定めた位置に対応するタイミングでマルチプレクサ５へ出力する。
【００１３】
時間カウンタ４は、時刻信号を継続して受けており、同期信号処理器８からのフレーム毎に出力される信号により現フレームの撮像時刻を特定しその撮像時刻を１フレーム中の予め定めた位置に対応するタイミングでマルチプレクサ５へ出力する。
【００１４】
本実施例では時計９から年月時分を示す信号がマイクロコンピュータ１０を経て時間カウンタ４に入力されるとともに１秒周期のパルス信号が時間カウンタ４に入力されており、マイクロコンピュータ１０からは分単位までの信号しか貰わず、秒単位の時刻は時計９からの１秒周期パルスを計数することにより時刻を特定している。
【００１５】
一方、マルチプレクサ５へは赤外線撮像器６から画像信号が入力されており、当該画像信号のフレームの所定位置に、撮像条件、フレーム番号、撮像時刻等の諸データを付加することになる。
【００１６】
こうすることにより、１フレーム毎に画像信号とその画像を撮像したときの撮像条件、フレーム番号、撮像時刻等の諸データが結合したものとなり、従来のようにマイクロコンピュータで諸データを管理したり、転送の際、画像信号と対応する諸データを別途に読み出して一緒に転送するなどという必要がなくなり、マイクロコンピュータの処理負担を軽減することができる。
【００１７】
【発明の効果】
以上説明したように、本発明の赤外線熱画像装置は、赤外線撮像器から出力される画像信号の１フレーム毎に、その画像撮像時の撮像条件、フレーム番号、撮像時刻等の諸データを１フレーム中の予め定めた所定の位置に付加するようにしたので、従来のように画像信号とは別個に諸データの管理をマイクロコンピュータに行わせたり、画像信号と対応させて諸データを読み出すというようなことを行わせなくてよくなり、マイクロコンピュータの処理負担を軽減することができるとともに、このような諸データの管理をマイクロコンピュータに行わせていた従来では対応できなかった高速度撮像（例えば１秒間に１０００フレーム）が可能になるという利点がある。
【図面の簡単な説明】
【図１】本発明赤外線熱画像装置の実施例の構成を示すブロック図である。
【図２】本発明赤外線熱画像装置における諸データ付加のタイミング説明図である。
【図３】従来の赤外線熱画像装置の構成を示すブロック図である。
【符号の説明】
１  データレジスタ
２  フレームカウンタ
４  時間カウンタ
５  マルチプレクサ
６  赤外線撮像器
７  記憶装置
８  同期信号処理器
９  時計
１０  マイクロコンピュータ
１１  走査変換器
１２  インターフェース回路
１３  テレビモニター
１４  切換器
【図１】
0003973342.tif 000002
【図２】
0003973342.tif 000003
【図３】
0003973342.tif 000004